(57)【要約】      （修正有）【課題】積雪の多い地域において、効果的に機能する融雪システムを提供する。【解決手段】家庭用の風呂釜２で、融雪のために十分な温度に加熱した熱水を浴槽１に満たし、この熱水を、ポンプ４を用いて、複数の吐水孔を有する屋上用散水ホース６ａまたは地上用散水ホース６ｂに圧送し、屋上や建物周囲の融雪が必要な箇所に散水する。これによって高所作業に伴う危険を解消できる。【選択図】図１
0003180085.tif 000002
【実用新案登録請求の範囲】
【請求項１】
複数の吐水孔を有する屋上用散水ホースを、屋根または屋上の全面に散水可能なように、屋根または屋上の最高部に設置し、浴槽で加熱した熱水をポンプで揚水し、散水する機能を有することを特徴とする融雪システム。
【請求項２】
複数の吐水口を有する地上用散水ホースを、建物の周囲に設置し、浴槽で加熱した熱水をポンプで散水する機能を有することを特徴とする融雪システム。
【請求項３】
前記吐水孔から散水される温水は直径１０ｃｍの範囲に拡散可能であることを特徴とする、請求項１または請求項２に記載の融雪システム。
【請求項４】
前記屋上用散水ホースと前記地上用散水ホースの少なくともいずれかは、スパン糸を含む材料から構成されることを特徴とする、請求項１ないし請求項３にいずれかに記載の融雪システム。
【考案の詳細な説明】
【技術分野】
【０００１】  本考案は、積雪の多い地域で使用可能な、熱水を散水して融雪を行うためのシステムに関するものである。
【背景技術】
【０００２】  積雪の多い地域では、屋根の上の積雪量が許容範囲を超えると、家屋の倒壊などの危険があるため、雪下ろしを行う必要がある。この作業は、凍結のある高所の作業となるため、危険であり、特に豪雪地域には高齢者が多く、除雪するために多くの経費と労力が使用される問題が生じている。【０００３】  それらを解決すべき手段として、機材などは冬季の使用に耐える耐寒性に有し、凍結問題に対応し、火災などの原因となるような危険が生じる機材を使用することなく、また、自然環境に影響を与える薬品や、融雪剤を使用してはならないこと、そして、高齢者が簡便な方法にて使用できること、また、多大な経費がかからないことが求められる。【０００４】  従来の対処法として、屋根に電熱装置を配し、その電熱によって融雪する場合においては、火災の危険性、耐寒性の問題があり、融雪剤のような薬剤を使用しての融雪は、環境への負荷の増加や、建物などに与える影響が問題となる。【０００５】  この他に、散水用のホースを水道に直接接続して、水道水を散水する方法もあるが、使用する水としては水道水ではなく、融雪効果を向上するため、可能な限り井戸水を使用することが推奨されているが、水道水も井戸水も融雪に適した温度であるかが疑問であり、井戸水は環境へ影響を及ぼす不純物を含むという不安もあり、十分な融雪対策とはなっていないのが実状である。【０００６】  この他に、特許文献１には、降水を貯水タンクに集水し、ストーブなどを熱源として昇温させ、ポンプを用い、スプリンクラーを介して散水する方法などが開示されているが、天候による集水量の不確実性や、集水された水に含まれる不純物が、環境に与える影響が懸念される。さらに屋根に設置されるスプリンクラーの、冬季における耐寒性にも疑問がある。【０００７】  また、特許文献１には浴槽の温廃水を、家屋の周囲に散水することも開示されているが、十分な熱を確保できないので、融雪の効果に不安があり、散水に用いるスプリンクラーの耐寒性に問題があることは前記とどうようである。このため、有効な融雪装置が見られないのが現状である。
【先行技術文献】
【特許文献】
【０００８】
【特許文献１】  実開平１−１０７７８０号公報
【考案の概要】
【考案が解決しようとする課題】
【０００９】  従って、本考案の課題は、積雪の多い地域において、効果的に機能する融雪システムを提供することにある。
【課題を解決するための手段】
【００１０】  本考案は、家庭にある浴槽に付属する加熱手段を利用することで、新たな装置の導入を極力少なくして、効果的が大きく、しかも高齢者でも簡単に操作可能な、融雪システムを検討した結果なされたものである。【００１１】  即ち、本考案は、複数の吐水孔を有する屋上用散水ホースを、屋根または屋上の全面に散水可能なように、屋根または屋上の最高部に設置し、浴槽で加熱した熱水をポンプで揚水し、散水する機能を有することを特徴とする融雪システムである。【００１２】  また、本考案は、複数の吐水口を有する地上用散水ホースを、建物の周囲に設置し、浴槽で加熱した熱水をポンプで散水する機能を有することを特徴とする融雪システムである。【００１３】  また、本考案は、前記吐水孔から散水される熱水は直径１０ｃｍの範囲に拡散可能であることを特徴とする、前記の融雪システムであり、前記屋上用散水ホースと前記地上用散水ホースの少なくともいずれかは、スパン糸を含む材料によって構成することも可能である。
【考案の効果】
【００１４】  本案の屋根屋上に設置される散水ホースは、耐寒性−３０℃、耐候性を有し、４ｔの車に踏まれても耐えるホースを使用し、ポンプと散水ホースを繋ぐホースも、−５０℃に耐える耐寒性を有し、耐圧性にも優れたホースである。これらを設置する場合、設置される部分をはじめ、電気など高温を発して火災などとなる原因を除くとともに、熱などを発生する危険物質や材料を使用することなく、環境に影響を与える物質がなく、軽量であり、雪を溶かすことによって建物に負荷される重量を減少することにも貢献できる。【００１５】  また、使用する熱水の源は、飲料水として使用する安全な水を使用するので、自然界に与える影響もなく、最も重要な融雪する能力は、浴槽の入浴後の廃水を使用するのではなく、融雪を目的に加熱された高温の熱水として散水されるため、融雪剤を使用することなく水道水や井戸水より、はるかな効力があり安全安心な手段といえる。【００１６】  この熱水は、散水ホースなどを溶融させるほどの高温ではなく、積雪を融雪するに必要な熱水として散水する。この熱水は、ペットボトルに入れ冷凍され完全に凍結した氷を、人間がお茶、コーヒーとして飲料できる温度にて散水の結果、融雪効果は非常に高く、同じく水道水との比較の結果は当然であるが、熱湯の有効性は高く、水との著しく差が生じることが判明し、この熱水が散水されるため、より有効な融雪効果をもたらすことができる。【００１７】  使用する熱水を得るために、浴槽、風呂釜など現状の設備をそのまま使用するので、別途にお湯を沸かす設備を導入しなくても良く、設備費の負担が少なくて済む。しかし、絶対に風呂釜の空焚きの原因となることは避けなければならないため、お風呂を沸かすためのスイッチなどを完全に切り、お風呂の火元が切れてお湯を沸かすことのできない状況を確認し、屋根や屋上の高所に熱湯を移動するポンプを使用することにする。このポンプは例えば吸水高さ８ｍ、揚水量（全楊程１２ｍ時）：２８Ｌ／分ポンプ等を使用することによって人間が高い所など危険なところでの作業がなくなる。【００１８】  本考案は人力による危険な雪下ろし作業をすることをなくし、大型の機材による積雪解除なども含め、大幅な経費負担の低減にもつながり、住民の建物の倒壊など不安と心身の疲労などを解除し、特にお高齢者が多く住む辺地では、重大な問題もポンプのスイッチを押すだけで、高齢者でも簡単に融雪を行うことが可能となる。また、節電事業として国が進める屋根などに設置する太陽光発電の積雪による支障の解除にもなりえ、融雪後の流れる融雪水も環境問題などにも影響を与えることなく融雪を実施できる。
【図面の簡単な説明】
【００１９】
【図１】  本考案に係る融雪システムの一例を示す概略図。
【考案を実施するための形態】
【００２０】  次に、本考案の実施の形態について、具体的な図に基づいて説明する。
【００２１】  図１は、本考案に係る融雪システムの一例を示す概略図である。図１において、１は浴槽、２は風呂釜、３は浴槽からポンプへ熱水を吸い上げるためのホース、４はポンプ、５ａは屋上用散水ホースをポンプに接続するためのコネクター、５ｂは建物周囲に熱水を散水するための、地上用散水ホースをポンプに接続するためのコネクター、６ａは屋上用散水ホース、６ｂは地上用散水ホース、７は屋根、８はホース固定用金具である。
【００２２】  本考案の基本となる融雪に最も必要な熱水を得るには、各家庭や工場などの入浴設備を使用することとし、それに伴う水道水も同じく人間が使用するお風呂に使用される水道水を使用することにする。屋上用散水ホース６ａや、地上用散水ホース６ｂは、−３０℃でも耐える耐寒性と、耐候性を有し、４ｔの車に踏まれても耐えるホースであり、ポンプと散水ホースに接続するホースの耐寒性も−５０℃であり、耐圧性にも優れたものを使用する。屋上用散水ホース６ａ及び地上用散水ホース６ｂの散水範囲は、ホースの両面にある吐水孔（図示せず）を中心とする、直径約１０ｃｍの範囲である。
【００２３】  屋上用散水ホース６ａ及び地上用散水ホース６ｂの長さは、設置される住宅の屋根、屋上の面積によって決定される。風呂釜２で加熱された熱水を屋根７まで揚水するには、ポンプ４を使用する。このポンプ４の規格は、例えば、一般住宅の場合、高さ約６〜１０ｍとするとき吸水高さ８ｍ揚水量（全楊程１２ｍ時）：２８Ｌ／分の揚水力の機能であれば充分に屋上用散水ホース６ａまで揚水し、散水が行われ屋根の積雪の融雪を行うことができるが、使用する建物の高さによってポンプの楊水量を確認し、その高さに適したポンプを使用することになる。ポンプの給排水口のホースを接続するコネクターはポンプとホースに適したコネクターにて接続し、途中でポンプの給排水口より外れたりしないよう確認する。
【００２４】  そして、屋上用散水ホース６ａと地上用散水ホース６ｂを予め準備し、コネクター５ａ、５ｂを用いて、ポンプ４に接続するホースを必要に応じて選択し、屋上と、建物周囲の融雪に使用できるように設定しておく。一度の融雪作業にて積雪解除ができない場合は、再度浴槽を熱水で満たし、融雪を行えるので、高所に作業者が上がる必要がなく、高齢者でも、繰り返し簡単に使用できることになる。このポンプを設置する場所はポンプの重量が約１５ｋｇ前後の機種が多く人間一人でも移動することが可能で使用も可能である。
【００２５】  以上に説明したように、本考案によれば、屋根の上に登ることなく、確実に融雪を行える融雪システムを提供することができ、積雪に伴い災害を未然に防ぐことができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１・・・浴槽    ２・・・風呂釜    ３・・・ホース    ４・・・ポンプ
５ａ，５ｂ・・・コネクター    ６ａ・・・屋上用散水ホース
６ｂ・・・地上用散水ホース    ７・・・屋根    ８・・・ホース固定用金具
【図１】
0003180085.tif 000003
【手続補正書】
【提出日】平成24年9月10日(2012.9.10)
【手続補正１】
【補正対象書類名】実用新案登録請求の範囲
【補正対象項目名】請求項１
【補正方法】変更
【補正の内容】
【請求項１】
屋根または屋上の最高部に設置される複数の吐水孔を有する屋上用散水ホースと、浴槽で加熱した熱水を揚水し前記屋上用散水ホースで散水するポンプとからなることを特徴とする融雪システム。
【手続補正２】
【補正対象書類名】実用新案登録請求の範囲
【補正対象項目名】請求項２
【補正方法】変更
【補正の内容】
【請求項２】
建物の首位に設置される複数の吐水孔を有する地上用散水ホースと、浴槽で加熱した熱水を前記地上用散水ホースに送るポンプとからなることを特徴とする融雪システム。